(57)【要約】【課題】操作性がよく、しかも、握持した際の玉網の方向性を簡単に把握する。【解決手段】輪切り断面が略一様な棒状体２の先端部に設けられ、魚を保持する袋状の網体が取り付けられる取付部材３とを備え、網体の開口が上に向くように棒状体２を握持した状態で、取付部材３の近傍における棒状体２の下側となる部位には、棒状体の軸線に沿いつつ棒状体の下方へ突出する突出部４が設けられており、突出部４は、輪切り断面において、網体の開口を含む平面と略平行な平面における、棒状体２の軸線と直交する方向に向けて、取付部材３の近傍における棒状体２の断面よりも膨出した断面を有する構成とした。【選択図】図１
2011205996.tif 000002
【特許請求の範囲】
【請求項１】
輪切り断面が略一様な棒状体と、前記棒状体の先端部に設けられ、魚を保持する袋状の網体が取り付けられる取付部材とを備えた玉網の柄であって、
前記網体の開口が上に向くように前記棒状体を握持した状態で、前記取付部材の近傍における前記棒状体の下側となる部位には、前記棒状体の軸線に沿いつつ前記棒状体の下方へ突出する突出部が設けられており、
前記突出部は、
当該突出部が設けられた部位の前記棒状体と当該突出部との輪切り断面において、前記網体の開口を含む平面と略平行な平面における、前記棒状体の軸線と直交する方向に向けて、前記取付部材の近傍における前記棒状体の断面よりも膨出した断面を有することを特徴とする玉網の柄。
【請求項２】
前記棒状体の側面における前記棒状体と前記突出部との間には、凹溝が形成されていることを特徴とする請求項１に記載の玉網の柄。
【請求項３】
前記凹溝は、前記棒状体の軸線に沿って上方へ弓形に湾曲するアーチ状とされていることを特徴とする請求項２に記載の玉網の柄。
【請求項４】
前記突出部の先端部は、前記棒状体へ向けて傾斜しており、指掛け部として機能することを特徴とする請求項１から請求項３のいずれか１項に記載の玉網の柄。
【発明の詳細な説明】
【技術分野】
【０００１】
本発明は、鮎釣り等の魚釣りに使用される玉網に用いて好適な玉網の柄に関する。
【背景技術】
【０００２】
従来、鮎釣り等の魚釣りにおいては、掛かった魚の取り込みの際に玉網が使用されている。通常、魚が掛かるのを待っている間は、釣人の胴体に装着したベルトと胴体との間等に、玉網の柄を差し込んで、玉網を保持することが行われている（例えば、特許文献１参照）。
そして、魚が掛かったときには、ベルトと胴体との間に差し込んだ玉網の柄を手で握持して、これを胴体とベルトとの間から引き抜き、釣竿を操作して引き寄せた魚を、玉網でキャッチして取り込むことが行われている。
【先行技術文献】
【特許文献】
【０００３】
【特許文献１】実開平６−３４４５７公報
【発明の概要】
【発明が解決しようとする課題】
【０００４】
ところで、前記したように、玉網は、通常、魚が掛かるのを待っている間、ベルトと胴体との間等に玉網の柄を差し込んで保持され、魚が掛かった際に引き抜かれて使用されるものであるので、その差し込みや引き抜きの際の操作が行い易いように、玉網の柄は、輪切り断面が角部のない断面略楕円形状等に形成されていた。このため、玉網の柄を握持した際に手の中で柄が滑って軸回りに回動したり、軸方向にずれたりすることがあり、操作性の向上が要望されていた。
【０００５】
また、前記のように、柄の輪切り断面が角部のない断面略楕円形状等に形成されていたため、魚が掛かるのを待っている間に、ベルトと胴体との間等に差し込んだ柄が、軸回りに回動して、玉網の方向性が変化してしまうことがあった。
特に、鮎釣り等の魚釣りにおいて、玉網の網体等の一部が川の流れの中に没するような状況では、水流を受けて玉網の姿勢が変化し、差し込んだ時点で上を向いていた網体の開口が、引き抜き時には横を向いていることもあった。
この場合、柄の輪切り断面が断面略楕円形状等に形成されていたので、柄を握持した際の手の感触で玉網の方向性を把握することも難しかった。
【０００６】
このように網体の開口が横を向いた状態では、魚の取り込みに支障を来たすため、引き抜いた後に持ち替えたり、引き抜く際に方向性を目視確認する必要がある等、煩雑であった。
【０００７】
本発明は、このような問題を解決するためになされたものであり、操作性がよく、しかも、握持した際の玉網の方向性を簡単に把握することができる玉網の柄を提供することを課題とする。
【課題を解決するための手段】
【０００８】
このような課題を解決する本発明の玉網の柄は、輪切り断面が略一様な棒状体と、前記棒状体の先端部に設けられ、魚を保持する袋状の網体が取り付けられる取付部材とを備えた玉網の柄であって、前記網体の開口が上に向くように前記棒状体を握持した状態で、前記取付部材の近傍における前記棒状体の下側となる部位には、前記棒状体の軸線に沿いつつ前記棒状体の下方へ突出する突出部が設けられており、前記突出部は、当該突出部が設けられた部位の前記棒状体と当該突出部との輪切り断面において、前記網体の開口を含む平面と略平行な平面における、前記棒状体の軸線と直交する方向に向けて、前記取付部材の近傍における前記棒状体の断面よりも膨出した断面を有することを特徴とする。
【０００９】
この玉網の柄によれば、取付部材の近傍における棒状体の下側となる部位には、棒状体の軸線に沿いつつ棒状体の下方へ突出する突出部が設けられているので、使用時に、取付部材の近傍で棒状体を握持すると、棒状体の下方へ突出する突出部を、棒状体を握持する手で一緒に保持することができる。
しかも、突出部は、突出部が設けられた部位の棒状体と突出部との輪切り断面において、網体の開口を含む平面と略平行な平面における、棒状体の軸線と直交する方向に向けて、取付部材の近傍における棒状体の断面よりも膨出した断面を有するので、握持した手の指で突出部を包むように、あるいは握持した手の指を突出部に掛けるようにして保持することができる。
【００１０】
また、握持した際に手に触れる棒状体と突出部との感触により、棒状体に対する突出部の位置を好適に把握することができる。
さらに、玉網の方向性が変わっている場合には、握り始めの感触からそのことが把握し易い。
また、突出部は棒状体の下方へ突出しているので、棒状体の重心が突出部側寄りとなり、玉網の姿勢が安定し易い。
【００１１】
また、本発明は、前記棒状体の側面における前記棒状体と前記突出部との間に、凹溝が形成されていることを特徴とする。
【００１２】
この玉網の柄によれば、握持した手の指先や指の腹を凹溝にあてがうようにして棒状体と突出部とを保持することができる。
また、凹溝の存在により、握持した際の手の感触により棒状体に対する突出部の位置関係がより把握し易い。
【００１３】
また、本発明は、前記凹溝が、前記棒状体の軸線に沿って上方へ弓形に湾曲するアーチ状とされていることを特徴とする。
【００１４】
この玉網の柄によれば、握持した手の指を凹溝に好適に沿わすようにして棒状体と突出部とを保持することができる。
【００１５】
また、本発明は、前記突出部の先端部が、前記棒状体へ向けて傾斜しており、指掛け部として機能することを特徴とする。
【００１６】
この玉網の柄によれば、握持した手の指を指掛け部に掛けるようにして棒状体と突出部とを保持することができる。
【発明の効果】
【００１７】
本発明によれば、使用時に、取付部材の近傍で棒状体を握持すると、棒状体を握持する手で一緒に突出部を保持することができるので、棒状体が手の中で軸回りや軸方向に滑ってしまうことが防止される。したがって、操作性の向上を図ることができる。
しかも、突出部は、取付部材の近傍における棒状体の断面よりも膨出した断面を有するので、握持した手の指で突出部を包むように、あるいは握持した手の指を突出部に掛けるようにして保持することができる。したがって、柄が手の中で軸回りや軸方向に滑ってしまうことがより好適に防止される。したがって、操作性の向上を図ることができる。
【００１８】
また、握持した際に手に触れる棒状体と突出部との感触により、棒状体に対する突出部の位置を好適に把握することができるので、魚が掛かったときに、魚から目を離すことなく、柄を握持した際の感触から網体の開口がどの方向を向いているのか、つまり、握持した際の玉網の方向性を簡単に把握することができ、それに合わせて魚を取り込み易いように開口を向ける操作を行うことができる。したがって、操作性に優れた玉網の柄が得られる。
【００１９】
また、玉網の方向性が変わっている場合には、握り始めの感触からそのことが把握し易く、網体の開口が上を向くように手首を返したり、握り返したりする操作に即座に対応することができ、取り込み操作が行い易い。
【００２０】
また、突出部は棒状体の下方へ突出しているので、棒状体の重心が突出部側寄りとなり易く、玉網の姿勢が安定し易い。
また、玉網の姿勢が安定するので、握持した際に玉網の方向性が変わっているときにも、手首を返したり握り返したりする操作がより行い易くなる。したがって、簡単な操作で網体の開口を所望の方向に容易に向けることが可能となり、操作性のよい玉網の柄が得られる。
【００２１】
また、握持した手の指先や指の腹を凹溝にあてがうようにして棒状体と突出部とを保持することができるので、手の中で棒状体の軸回りや軸方向に棒状体が滑ってしまうのをより好適に防止することができ、操作性の向上を図ることができる。
また、凹溝の存在により、握持した際の手の感触により棒状体に対する突出部の位置関係がより把握し易くなる。
しかも、凹溝は、アーチ状に形成されているので、握持した手の指を凹溝に好適に沿わすことができ、ホールド性に優れ、操作性がよい。
【００２２】
また、握持した手の指を指掛け部に掛けるようにして棒状体と突出部とを保持することができるので、棒状体の軸方向の移動を好適に抑えることができ、ホールド性が向上される。
【図面の簡単な説明】
【００２３】
【図１】本発明の一実施形態に係る玉網の柄を示す図であり、（ａ）は斜視図、（ｂ）は玉網の柄を用いた玉網を示す斜視図である。
【図２】同じく玉網の柄を示す図であり、（ａ）は平面図、（ｂ）は側面図、（ｃ）は底面図、（ｄ）は図２（ａ）におけるＡ−Ａ線断面図である。
【図３】（ａ）〜（ｃ）は棒状体と突出部との輪切り断面の変形例を示す断面図である。
【図４】玉網の柄の変形例を示す側面図である。
【図５】握持した状態を示す側面図である。
【図６】（ａ）は玉網の使用状態を示す図、（ｂ）（ｃ）は玉網の柄を握持するときの作用を示す図である。
【図７】玉網の柄の変形例を示す図であり、（ａ）は平面図、（ｂ）は側面図である。
【図８】突出部に横溝を設けた玉網の柄の変形例を示す側面図である。
【図９】突出部に指掛け溝を設けた玉網の柄の変形例を示す側面図である。
【発明を実施するための形態】
【００２４】
以下、本発明に係る玉網の柄の実施の形態について図面を参照しながら説明する。なお、以下の説明において「上下」「左右」「前後」の語は、図１（ａ）（ｂ）に記載した方向を基準として用いている。
【００２５】
図１（ａ）に示すように、本実施形態の玉網の柄１は、棒状体２と、棒状体２の先端部（前端部）に設けられ、魚を保持する袋状の網体１０（図１（ｂ）参照）が取り付けられる取付部材３とを備え、取付部材３の近傍における棒状体２の下側となる部位には、棒状体２の軸線（長手方向の軸となる線）に沿いつつ棒状体２の下方へ突出する突出部４が設けられている。
【００２６】
棒状体２は、輪切り断面が軸方向に略一様（角部のない長円形状）とされており、後部に向かうにしたがい肉厚となるように形成されている。この肉厚とされた棒状体２の後端部は、斜め下方へ向けて窄まるように延設されており、その後端には、縦長扁平の切り欠き５（図２（ｃ）参照）が形成されている。そして、この切り欠き５には、錘として機能する扁平形状のバランス部材６が収容されて取り付けられている。バランス部材６の下端部６ａは、棒状体２の後端部回りから下方へ若干突出しており、この突出した部分は、釣人の胴体に装着したベルトと胴体との間等に玉網の柄１を差し込む際のガイドとして機能する。
【００２７】
また、棒状体２の先端部の上面における、図２（ａ）に斜線で示す領域は、平らに形成されており、握持した手の親指の指置き部２ａとして機能するようになっている。
【００２８】
取付部材３は、棒状体２の先端部に取付ねじ３１によって取り付けられている。取付部材３は、平面視で略Ｔ字形状を呈しており（図２（ａ）参照）、基部３２と、左右方向に延設された枠体係止部３３と、を有している。基部３２の上面は、棒状体２の先端部の上面（指置き部２ａ）から連続するように平らに形成されている。
枠体係止部３３の内側には、図１（ａ）、図２（ｂ）に示すように、左右方向に延びる取付溝３４が形成されており、この取付溝３４内に、網体１０を支持する円環状の枠体１２が引っ掛けられるようにして係止される。なお、本実施形態では、取付部材３が上下方向に分割された２部材からなり、これらをねじ３５（図２（ｃ）参照）で固定する際に、円環状の枠体１２が取付溝３４内に係止されるようになっている。
ここで、網体１０は、図１（ｂ）に示すように、枠体１２が取付部材３に取り付けられた状態で、開口１０ａが上を向くように取り付けられる。本実施形態では、棒状体２の軸線に対して開口１０ａがやや前傾となるように取付部材３を介して棒状体２に保持されるようになっている。
【００２９】
突出部４は、図２（ｄ）に示すように、棒状体２を握持した手の指が沿うように角部のない丸い断面（断面略円形状）を有している。本実施形態では、突出部４が棒状体２の下部に一体的に形成されている。
ここで、突出部４は、突出部４が設けられた部位の棒状体２と突出部４との輪切り断面（Ａ−Ａ断面）において、棒状体２の断面よりも左右方向に膨出した断面を有している。つまり、突出部４は、網体１０（図１（ｂ）参照）の開口１０ａを含む平面と略平行な平面における、棒状体２の軸線と直交する方向に向けて、取付部材３の近傍における棒状体２の断面よりも膨出した断面を有している。
【００３０】
棒状体２の側面における棒状体２と突出部４との間には、凹溝７が形成されている。本実施形態では、図２（ｂ）（ｄ）に示すように、凹溝７が、棒状体２の軸線に沿って上方へ弓形に湾曲するアーチ状とされている。
ここで、突出部４が形成されている部分における棒状体２と突出部４との左右方向における幅（膨出方向における大きさ）は、図２（ｄ）に示すように、棒状体２の幅をＷ１、突出部４の幅をＷ３、凹溝７の幅をＷ２としたときに、次の関係を有している。
Ｗ１  ＜  Ｗ３  ，  Ｗ２  ＜  Ｗ１  ，Ｗ２  ＜  Ｗ３
つまり、凹溝７の幅Ｗ２よりも棒状体２の幅Ｗ１が大きく、さらに棒状体２の幅Ｗ１よりも突出部４の幅Ｗ３が大きくなっている。
【００３１】
図３（ａ）〜（ｃ）は、突出部４が設けられた部位における棒状体２と突出部４との断面形状の変形例を示す図であり、図３（ａ）〜（ｃ）に示すように、種々の形状を採用することができる。図３（ａ）では、棒状体２の角部がアール状とされた四角形状とされており、棒状体２と突出部４との境界部分に浅い凹溝７が形成されている。また、図３（ｂ）では、棒状体２が断面略三角形状とされており、全体として略しずく形状とされている。図３（ｃ）では、棒状体２と突出部４とが中央に向けて窄まるようにそれぞれテーパ状に形成され、窄まった部分に結果として凹溝７が形成されている。
このような棒状体２と突出部４とにおいても、前記と同様に、凹溝７の幅Ｗ２よりも棒状体２の幅Ｗ１が大きく形成され、さらに棒状体２の幅Ｗ１よりも突出部４の幅Ｗ３が大きく形成されている。
【００３２】
図２（ｂ）に示すように、突出部４の下側縁部４ｅは、棒状体２の軸方向に略平らに形成されており、後部側が棒状体２に向けて緩やかに傾斜している。
また、突出部４の前部側（先端部）は、側面視で棒状体２へ向けて円弧状に膨出しており、この部分に、握持した手の指（例えば、人さし指）を掛けることが可能な指掛け部４ａが設けられている。指掛け部４ａの前方には、凸条部４ｂが設けられており、この凸条部４ｂには、リングや紐を挿通可能な挿通孔４ｃが形成されている。なお、凸条部４ｂにも握持した手の指を掛けることができる。
【００３３】
なお、図４に示すように、突出部４や凹溝７は合成ゴム等の滑り止め部材４ｄで覆ってもよい。このような滑り止め部材４ｄを設けることで、棒状体２の軸回りや軸方向に滑るのを好適に防止することができ、ホールド性が向上するようになる。
【００３４】
このような構成を有する玉網の柄１は、図５に示すように、取付部材３の近傍で棒状体２を握持することで、棒状体２の下方へ突出した突出部４を、棒状体２を握持する手で一緒に保持することができる。
しかも、突出部４は、突出部４が設けられた部位の棒状体２と突出部４との輪切り断面において、前記したように左右方向に向けて、取付部材３の近傍における棒状体２の断面よりも膨出した断面を有するので、握持した手の指で突出部４を包むように、あるいは握持した手の指を突出部４に掛けるようにして保持することができる。
【００３５】
そして、握持した手の指先や指の腹を凹溝７にあてがうようにして棒状体２と突出部４とを保持することができ、その際、アーチ状の凹溝７に握持した手の指を沿わすようにして保持することができる。
また、握持した手の指（例えば、人差し指等）を指掛け部４ａや凸条部４ｂに掛けるようにしながら、棒状体２の前端部および取付部材３の上面（基部３２）に指（親指）を載置するようにして保持することができる。
【００３６】
そして、以上説明したような玉網の柄１は、図６（ａ）に示すように、釣人Ｈの胴体Ｈ１に装着したベルトＢと胴体Ｈ１との間等に差し込んで使用される。
魚が掛かった際には、前記したように握持されて、ベルトＢと胴体Ｈ１との間等から柄１が引き抜かれ、握持した柄１を操作して、網体１０の開口１０ａを魚に向けて網体１０に魚を取り込む操作が行われる。
【００３７】
ところで、網体１０等の一部が川の流れの中に没するような状況では、魚が掛かるのを待っている間に水流Ｃを受けて、図６（ｂ）に示すように、柄１が軸回りに回動して、網体１０の開口１０ａが横を向いてしまうような、玉網の方向性が変化してしまうことがある。しかしこのような場合にも、玉網の柄１をうまく握持することができる。
つまり、握持した際の握り始めの手に触れる棒状体２と突出部４との感触から、棒状体２に対する突出部４の位置を好適に把握することができ、それに合わせて手首を返す等の操作を行うことで、図６（ｃ）に示すように、網体１０の開口１０ａが上を向くように容易に握り返すことができる。したがって、握持する手元をいちいち目視することなく握持した時の感触から玉網の方向性を容易に変更することができる。
【００３８】
以上説明した本実施形態の玉網の柄１によれば、使用時に、取付部材３の近傍で棒状体２を握持すると、棒状体２を握持する手で一緒に突出部４を保持することができるので、棒状体２が手の中で軸回りや軸方向に滑ってしまうことが防止される。したがって、操作性の向上を図ることができる。
しかも、突出部４は、取付部材３の近傍における棒状体２の断面よりも膨出した断面を有するので、握持した手の指で突出部４を包むように、あるいは握持した手の指を突出部４に掛けるようにして保持することができる。したがって、柄１が手の中で軸回りや軸方向に滑ってしまうことがより好適に防止される。したがって、操作性の向上を図ることができる。
【００３９】
また、握持した際に手に触れる棒状体２と突出部４との感触により、棒状体２に対する突出部４の位置を好適に把握することができるので、魚が掛かったときに、魚から目を離すことなく、柄１を握持した際の感触から網体１０の開口１０ａがどの方向を向いているのか、つまり、握持した際の玉網の方向性を簡単に把握することができ、それに合わせて魚を取り込み易いように開口１０ａを向ける操作を行うことができる。したがって、操作性に優れた玉網の柄１が得られる。
【００４０】
また、玉網の方向性が変わっている場合には、握り始めの感触からそのことが把握し易く、網体１０の開口１０ａが上を向くように手首を返したり、握り返したりする操作に即座に対応することができる。したがって、取り込み操作が行い易い。
【００４１】
また、突出部４は棒状体２の下方へ突出しているので、棒状体２の重心が突出部４側寄りとなり、玉網の方向性（姿勢）が安定し易い。
また、玉網の方向性が安定するので、握持した際に玉網の方向性が変わっているときにも、手首を返したり握り返したりする操作がより行い易くなる。したがって、簡単な操作で網体１０の開口１０ａを所望の方向に容易に向けることが可能となり、操作性のよい玉網の柄１が得られる。
また、突出部４は断面略円形状に形成されているので、握持した手の指の曲がりをうまく密着させることができ、ホールド性がよい。
【００４２】
また、握持した手の指先や指の腹を凹溝７にあてがうようにして棒状体２と突出部４とを保持することができるので、手の中で軸回りや軸方向に棒状体２が滑ってしまうのをより好適に防止することができ、操作性の向上を図ることができる。
また、凹溝７の存在により、握持した際の手の感触により棒状体２に対する突出部４の位置関係がより把握し易くなる。
しかも、凹溝７は、アーチ状に形成されているので、握持した手の指を凹溝７に好適に沿わすことができ、ホールド性に優れ、操作性がよい。
【００４３】
また、握持した手の指を指掛け部４ａに掛けるようにして棒状体２と突出部４とを保持することができる。したがって、棒状体２の軸方向の移動を好適に抑えることができ、ホールド性が向上される。これにより、操作性のよい玉網の柄１が得られる。
【００４４】
図７は玉網の柄１の変形例である。この玉網の柄１では、図７（ａ）（ｂ）に示すように、棒状体２の先端部の上面における指置き部２ａを前記したものよりも後方へ長く形成するとともに、図７（ｂ）に示すように、突出部４の下側縁部４ｅを下方へさらに突出して形成してある。
この玉網の柄１では、指置き部２ａの面積が広がっているので握持した際の安定性が増し、突出部４を保持した際のホールド性が向上する。
【００４５】
また、図８に示す玉網の柄１では、突出部４の下側縁部４ｅに左右方向に溝状の凹凸部４ｆを形成してある。この玉網の柄１では、凹凸部４ｆに沿って握持した手の指を掛けることができ、柄１が手の中で軸方向に滑ってしまうことを好適に防止することができる。したがって、操作性がより向上される。
【００４６】
さらに、図９に示す玉網の柄１では、突出部４の下側縁部４ｅに波形の凹凸部４ｇを形成してある。この玉網の柄１では、凹凸部４ｇに握持した手の指を好適に掛けることができ、柄１が手の中で軸方向に滑ってしまうことをより好適に防止することができる。したがって、操作性がより向上された玉網の柄１が得られる。
【００４７】
なお、前記実施形態や変形例では、突出部４を棒状体２に一体的に設けたが、これに限られることはなく、棒状体２と別体に設けて、棒状体２に取り付け固定してもよい。この場合に、棒状体２と突出部４との境界部分（合わせ部分）に凹溝７が形成されるように構成してもよい。
【００４８】
また、凹溝７は、棒状体２の軸方向に点在させて設けてもよい。さらに、凹溝７は、棒状体２の軸方向に、深さを異ならせて設けてもよい。
また、突出部４は、柄１の左右両側に膨出するように設けたが、これに限られることはなく、片側にのみ膨出する状態に設けてもよい。これに対応して、凹溝７を片側にのみ設けてもよい。
さらに、突出部４の軸方向の長さや断面形状は任意に設定することができる。
【符号の説明】
【００４９】
１    玉網の柄
２    棒状体
３    取付部材
４    突出部
４ａ  指掛け部
７    凹溝
１０  網体
Ｂ    ベルト
Ｃ    水流
Ｈ    釣人
Ｈ１  胴体
Ｗ１〜Ｗ３    幅
【図１】
2011205996.tif 000003
【図２】
2011205996.tif 000004
【図３】
2011205996.tif 000005
【図４】
2011205996.tif 000006
【図５】
2011205996.tif 000007
【図６】
2011205996.tif 000008
【図７】
2011205996.tif 000009
【図８】
2011205996.tif 000010
【図９】
2011205996.tif 000011